(57)【特許請求の範囲】
【請求項１】
ボトルノズルに固着する本体キャップと前記本体キャップにヒンジ結合し前記ヒンジ結合部の反対側の先端部に指掛けつばを有する上蓋とを有するヒンジキャップであって、前記本体キャップはバンドフックを有する本体バンドをキャップ中心回りに本体キャップ基体の外面に少なくとも一部分が切り離し可能なつなぎリブを介して連結しており、前記上蓋は上蓋フックを有し前記本体キャップと前記上蓋とが閉じて未開封の状態においては前記バンドフックと前記上蓋フックが係止しており、前記上蓋は閉じて未開封の状態において前記本体バンドの上方部分の少なくとも一部分を覆うひさし状に張り出すカバーを備えていることを特徴とするタンパーエビデント性を有するヒンジキャップ。
【請求項２】
前記本体バンドは前記本体キャップの前記先端部寄りに形成されていて、前記本体バンドのキャップ中心回りの長さは前記指掛けつばの前記キャップ中心回りの長さよりも長いことを特徴とする請求項１に記載のタンパーエビデント性を有するヒンジキャップ。
【請求項３】
前記本体バンドは前記キャップ中心回りの前記指掛けつばに対応する中央部分及びその左右部分に位置する合計３体からなることを特徴とする請求項１に記載のタンパーエビデント性を有するヒンジキャップ。
【請求項４】
前記本体バンドは前記キャップ中心回りの前記指掛けつばに対応する中央部分を除いて左右部分に位置する合計２体からなることを特徴とする請求項１に記載のタンパーエビデント性を有するヒンジキャップ。
【請求項５】
前記カバーは前記指掛けつばの前記キャップ中心回りの左右両側に形成されていることを特徴とする請求項１乃至４のいずれか１に記載のタンパーエビデント性を有するヒンジキャップ。
【請求項６】
前記つなぎリブのうち最も先端部寄りにあるものは最もヒンジ結合部寄りにあるものよりも切り離し強度が大きいことを特徴とする請求項１乃至５のいずれか１に記載のタンパーエビデント性を有するヒンジキャップ。
【請求項７】
前記つなぎリブはすべて同等の切り離し強度であることを特徴とする請求項１乃至５のいずれか１に記載のタンパーエビデント性を有するヒンジキャップ。
【発明の詳細な説明】
【０００１】
【産業上の利用分野】
この発明はヒンジキャップにいたずら防止用のタンパーエビデント性をもたせる技術に関するものである。
【０００２】
【従来の技術】
店頭等に陳列されている内容物が充填された容器においては、いたずらによって、開封されることに対して安全を確保することの要求は高い。このことは容器の口部をヒンジキャップで閉じる形式のヒンジキャップ容器においても同様である。ヒンジキャップはしょう油、ソース、たれ、ドレッシング等の食品用の容器のキャップとして多く採用されている。
【０００３】
いたずらによる開封に対してヒンジキャップ容器の安全性を確保するための方策として従来採られているものには、ヒンジキャップを薄いフィルムからなるキャップシールで包む方法やヒンジキャップを構成する本体キャップと上蓋の両方にタックラベルを貼る方法があり、いたずらによって上蓋が開かれたときに、キャップシールやタックラベルが破壊されて、痕跡が残り開封を知見することができる。
【０００４】
しかしこのキャップシールやタックラベルの方式は容器の製造工数を増加させコストアップにもつながることから、新たな方策として、本体キャップに切り離し可能な本体バンドを設け、この本体バンドと上蓋をアンダーカット結合させておき、上蓋の開封の場合には上蓋に与えられる押上げ開封力によって必然的に本体バンドが本体キャップから切り離されたときに、その痕跡によって開封を知見することができる技術が開発された（実開４−６２６４５号参照）。
【０００５】
しかしながらこの本体バンドを設ける方法では、本体バンド自体がいたずらの対象となって、本体バンドに手を触れて本体バンドと本体キャップの間の狭い間隙に手爪を入れて押し広げ、本体バンドを切り離さずに上蓋とのアンダーカット結合を解いて、痕跡を残さずに開封するいたずらが可能である。また、本体バンドを上蓋の開閉操作用の指掛けつばで覆い隠すようにした場合は、指掛けつばと本体バンドとが常に一定の対応した位置関係となり、ヒンジキャップの特性を発揮させる場合の設計上の障害となる場合がある。
【０００６】
このようなことから上蓋に指掛けつばを有するヒンジキャップにおいて、いたずらによる開封を確実に知見させることができ、かつヒンジキャップのデザイン上の自由度を有するタンパーエビデント性を有するヒンジキャップの開発が望まれている。
【０００７】
この発明は上記の如き事情に鑑みてなされたものであって、上蓋に指掛けつばを有するヒンジキャップにおいて、いたずらによる開封を確実に知見させることができ、かつヒンジキャップのデザイン上の自由度を有するタンパーエビデント性を有するヒンジキャップを提供することを目的とするものである。
【０００８】
【構成】
この目的に対応して、この発明のタンパーエビデント性を有するヒンジキャップはボトルノズルに固着する本体キャップと前記本体キャップにヒンジ結合し前記ヒンジ結合部の反対側の先端部に指掛けつばを有する上蓋とを有するヒンジキャップであって、前記本体キャップはバンドフックを有する本体バンドをキャップ中心回りに本体キャップ基体の外面に少なくとも一部分が切り離し可能なつなぎリブを介して連結しており、前記上蓋には上蓋フックを有し前記本体キャップと前記上蓋とが閉じて未開封の状態においては前記バンドフックと前記上蓋フックが係止しており、前記上蓋は閉じて未開封の状態において前記本体バンドの上方部分の少なくとも一部分を覆うひさし状に張り出すカバーを備えていることを特徴としている。
【０００９】
【実施例】
以下この発明の詳細を一実施例を示す図面について説明する。
図１から図３において、１はヒンジキャップである。ヒンジキャップに使われる材料は合成樹脂で、特にポリプロピレンが多く使用される。ヒンジキャップ１は本体キャップ２と上蓋３とからなっている。本体キャップ２はボトル４のノズル部５に嵌合により固定している。上蓋３は開閉の中心となる基端部６でヒンジ７により本体キャップ２に連結し、本体キャップ２の上面を開閉可能である。
【００１０】
本体キャップ２はヒンジキャップ１の中心８の回りにほぼ円筒状をなす本体キャップ基体１１を有し、その周囲に沿って中心８の回りにほぼ平面視で円弧状に本体バンド１２が形成されている。本体バンド１２は内側面に両側の角度δの範囲にアンダーカットのバンドフック１３を有しかつ下端で少なくとも一部のものが切り離し可能なつなぎリブ１４で本体キャップ基体１１に連結している。
【００１１】
但し中央の角度γの範囲ではバンドフックは形成されておらず、またつなぎリブ１４のうち角度δの範囲の先端寄りに形成されたつなぎリブ１４ａはヒンジ寄りに形成されたリブ１４ｂよりも太くなっていて切り離し強度は大きい。また本体バンド１２の両端にはつまみ部１８が形成されている。
【００１２】
一方上蓋３では先端部の角度βの範囲に指掛けつば１５を有し、その両隣りのそれぞれ角度αの範囲にカバー１６を備え、かつ上蓋フック１７を備えている。特に図２に示すように、上蓋３が本体キャップ２上に閉じた状態において上蓋フック１７が本体バンド１２のバンドフック１３に係止して上蓋３が本体キャップ２にロックしており、かつカバー１６は本体バンド１２の上方を覆い、また図３に示すように、指掛けつば１５は本体バンド１２に覆われる。なお、本体キャップ基体１１には分別廃棄のためにボトル４との分離がしやすいように薄肉部２１とつまみが形成されている。
【００１３】
このように構成されたヒンジキャップ１では、正常にヒンジキャップ１を開ける場合にはつまみ部１８を手指で摘んで本体バンド１２を引き、つなぎリブ１４ｂまたはそれに加えてつなぎリブ１４ａを引きちぎって、本体バンド１２を離し、上蓋３が自由になった状態で本体バンド１２のγの角度範囲の部分を引き広げ、或いはつなぎリブ１４を引き切って指掛けつば１５に指を掛けて上蓋３を押し上げて開く。
【００１４】
次にいたずらで、上蓋３を開けようとする場合は、本体バンド１２はカバー１６に覆われていて指がかけやすい上方部分は露出しておらず、また指掛けつば１５は本体バンド１２に覆われているので、結局、力をかける部分がなく、また、つまみ部１８を引けば、つなぎリブ１４ｂまたはそれに加えてつなぎリブ１４ａが切れて痕跡が残り、痕跡を残さずに、いたずら開封をすることはできない。
【００１５】
図４にはこの発明の第２の実施例が示されている。この第２の実施例は、前記の第１の実施例においては本体バンド１２がγ＋２δの範囲に一体に形成されていたのに対し、本体バンド１２をγと両δのそれぞれの角度範囲に対応して別個に形成した本体バンド１２ａ、本体バンド１２ｂ及び本体バンドｃに分割して形成したものである。中央の本体バンド１２ａにはバンドフックは形成されていない。両側の本体バンド１２ｂ，１２ｃの両端にはつまみ部１８が形成されている。上蓋３の構成及び本体キャップ２との対応関係は第１の実施例と同じである。この第２の実施例の場合は、未開封の状態から上蓋３を開けるためには本体バンド１２ａ，１２ｂ及び１２ｃを切り離す３つの動作が必要になるので、いたずらで開封したときの痕跡も一層明らかになる。
【００１６】
図５から図１６にはこの発明の第３の実施例が示されている。図６に示すように両δの角度範囲内でだけ本体バンド１２が形成されている。図８から図１０に示すようにそれぞれの本体バンド１２は内側面にアンダーカットのバンドフック１３を有し、かつ下端で少なくとも一部のものが切り離し可能なつなぎリブ１４で切り離し可能に本体キャップ基体１１に連結している。但し、先端部の２γの角度範囲には本体バンド１２は形成されていない。またつなぎリブ１４のうち角度δの範囲の先端寄りに形成されたつなぎリブ１４ａはヒンジ寄りに形成されたつなぎリブ１４ｂよりも太くなっていて切り離し強度は大きい。また各本体バンド１２のヒンジ寄りの端部にはつまみ部１８が形成されている。
【００１７】
一方、上蓋３では先端部の角度２βの範囲に指掛けつば１５を有し、その両隣りのそれぞれの範囲に図１１に示すカバー１６を備え、かつ上蓋フック１７を備えている。特に図９に示すように、上蓋３が本体キャップ２上に閉じた状態において、上蓋フック１７が本体バンド１２のバンドフックに係止して上蓋３が本体キャップ２にロックしており、かつカバー１６は本体バンド１２の上方を覆っている。このように構成されたヒンジキャップ１では本体バンド１２はカバー１６に覆われていて指がかけやすい上方部分は露出していないので力をかける部分がなく、またつまみ部１８を引けばつなぎリブ１４ｂまたはこれに加えてつなぎリブ１４ａが切れ痕跡が残り、痕跡を残さずに、いたずら開封をすることができない。
【００１８】
図１７から図２６にはこの発明の第４の実施例が示されている。両側のδの範囲に形成される本体バンド１２の中心８回りの円弧長さを両側のαの範囲に形成されるカバー１６の円弧長さよりも短くして（δ＜α）、本体バンド１２の上方の全体をカバー１６で覆い、上蓋３が開かれるときは常に本体バンド１２のつなぎリブ１４が切り離される構造としたものである。したがってこの実施例の場合はすべてのつなぎリブ１４は同等の切り離し強さで構成されたものである。
【００１９】
【発明の効果】
この発明のヒンジキャップ１では、本体バンド１２の上方がカバー１６で覆われているので、本体バンド１２と本体キャップ基体１１との隙間に手爪を差し入れることができず、本体バンド１２だけを変形させて上蓋を開くことができず、いたずらで無理に上蓋を開けば本体バンド１２の切り離しの痕跡が残り、開封を確実に知見することができる。しかも本体バンドは指掛けつばと対応させて設けることができるが、一方、指掛けバンドとは関係なく最適の場所に設けることができるので、ヒンジキャップのデザイン上の自由度を持つことができる。
【００２０】
【図面の簡単な説明】
【図１】ヒンジキャップの開いた状態の平面図。
【図２】本体バンドとカバーの係合関係を示す断面図。
【図３】本体バンドと指掛けつばの位置関係を示す断面図。
【図４】第２の他のヒンジキャップの開いた状態の平面図。
【図５】第３の他のヒンジキャップの閉じた状態の断面図。
【図６】第３の他のヒンジキャップの開いた状態の平面図。
【図７】第３の他のヒンジキャップの開いた状態の断面図。
【図８】第３の他のヒンジキャップの本体バンドの拡大断面図。
【図９】第３の他のヒンジキャップの本体バンドの拡大断面図。
【図１０】第３の他のヒンジキャップの本体バンドの拡大断面図。
【図１１】第３の他のヒンジキャップの上蓋フックの拡大断面図。
【図１２】第３の他のヒンジキャップの閉じた状態の側面図。
【図１３】第３の他のヒンジキャップの閉じた状態の平面図。
【図１４】第３の他のヒンジキャップの閉じた状態の底面図。
【図１５】第３の他のヒンジキャップの閉じた状態の背面図。
【図１６】第３の他のヒンジキャップの閉じた状態の正面図。
【図１７】第４の他のヒンジキャップの開いた状態の平面図。
【図１８】第４の他のヒンジキャップの開いた状態の断面図。
【図１９】第４の他のヒンジキャップの本体バンドの拡大断面図。
【図２０】第４の他のヒンジキャップの本体バンドの拡大断面図。
【図２１】第４の他のヒンジキャップの上蓋フックの拡大断面図。
【図２２】第４の他のヒンジキャップの閉じた状態の側面図。
【図２３】第４の他のヒンジキャップの閉じた状態の平面図。
【図２４】第４の他のヒンジキャップの閉じた状態の底面図。
【図２５】第４の他のヒンジキャップの閉じた状態の背面図。
【図２６】第４の他のヒンジキャップの閉じた状態の正面図。
【符号の説明】
１                            ヒンジキャップ
２                            本体キャップ
３                            上蓋
４                            ボトル
５                            ノズル部
６                            基端部
７                            ヒンジ
８                            中心
１１                          本体キャップ基体
１２，１２ａ，１２ｂ，１２ｃ  本体バンド
１３                          バンドフック
１４，１４ａ，１４ｂ          つなぎリブ
１５                          指掛けつば
１６                          カバー
１７                          上蓋フック
１８                          つまみ部
２１                          薄肉部
【図１】
0004771034.tif 000002
【図２】
0004771034.tif 000003
【図３】
0004771034.tif 000004
【図４】
0004771034.tif 000005
【図５】
0004771034.tif 000006
【図６】
0004771034.tif 000007
【図７】
0004771034.tif 000008
【図８】
0004771034.tif 000009
【図９】
0004771034.tif 000010
【図１０】
0004771034.tif 000011
【図１１】
0004771034.tif 000012
【図１２】
0004771034.tif 000013
【図１３】
0004771034.tif 000014
【図１４】
0004771034.tif 000015
【図１５】
0004771034.tif 000016
【図１６】
0004771034.tif 000017
【図１７】
0004771034.tif 000018
【図１８】
0004771034.tif 000019
【図１９】
0004771034.tif 000020
【図２０】
0004771034.tif 000021
【図２１】
0004771034.tif 000022
【図２２】
0004771034.tif 000023
【図２３】
0004771034.tif 000024
【図２４】
0004771034.tif 000025
【図２５】
0004771034.tif 000026
【図２６】
0004771034.tif 000027